(57)【要約】　　　（修正有）【課題】封筒や菓子袋等を簡易に開封できる汎用性、携帯性、安全性、意匠性に優れた堅牢で構造の明快な開封用カッターを得る。【解決手段】柔らかく弾性に富むクレジットカード大のガードプレート１とその底面に設けたカッタープレート２から成るものであって、カッタープレートはナイフ状カッター部３と鋸刃状カッター部４を持ち、ガードプレート１の表面には、カーブ状スリット７を設け、スリットの内側端部付近に、刃先がスリット内に適当に露出するようにガードプレートと１とカッタープレート２を重ね合せ、ナイフ状カッター部３を除く範囲で接着させる。また、表面に、カーブ状スリット７の形状を人や動物の口に見立てた、絵柄９を設ける。【選択図】　　　　　　図１０
2004136968.tif 000002
【特許請求の範囲】
【請求項１】
適度に柔らかく弾性に富むプラスチック板等の、ガードプレート（１）とその底面に設けた金属板等の、カッタープレート（２）から成るものであって、該カッタープレートはナイフ状に突出させた、ナイフ状カッター部（３）と板の一部を鋸刃状に形成した、鋸刃状カッター部（４）を持ち、ガードプレート（１）の表面にはＵ字形のカーブを持たせた線状の隙間である、カーブ状スリット（７）をそれにより切り取られてその上下に凸部（５）と凹部（６）のエリアが形成されるように設け、カーブ状スリット（７）の左右の内側端部付近に、鋸刃状カッター部（３）の刃先がスリット内に適当に露出するように（１）と（２）を重ね合せ、ナイフ状カッター部（２）部分を除く範囲でガードプレート（１）とカッタープレート（２）を接着する、範囲限定接着（８）により結合させた、開封用カッター。
【請求項２】
カッタープレート（２）が重なる範囲のガードプレート（１）の表面に、重ならない範囲の表面より凹ませた、凹み（１０）を設け、、その凹み部分に（２）を納めて表面を平滑にした請求項１記載の、開封用カッター。
【請求項３】
ガードプレート（１）の大きさを通常のクレジットカード大とした請求項１又は２記載の、開封用カッター。
【請求項４】
ガードプレート（１）の表面に、カーブ状スリット（７）の形状を人や動物の口に見立て、サイズや位置が該スリットに適合する人や動物の絵柄の、絵柄（９）を設けた請求項１又は２又は３記載の、開封用カッター。
【発明の詳細な説明】
【０００１】
【発明の属する技術分野】
本発明は封筒や菓子袋等の開封に使用する開封用カッターに関する。
【０００２】
【従来の技術】
従来、一般には、封筒の開封は手で切り裂くか鋏で切るなどして行われていた。
菓子袋等においては袋端部に設けられた切り込みから破いて開封が行われていた。
また、封筒や菓子袋等の開封は専用の開封器を用いて行われ、従来簡易な開封器として次のような技術が知られている。（例えば、次に示す特許文献１〜７及び実用新案文献１〜５を参照）
そして、その中で構造が本発明と最も類似する先行技術は特許文献３である。
【０００３】
【特許文献１】
特許公開２０００−１５３６９５号公報
【特許文献２】
特許公開平０７−２８４５７４号公報
【特許文献３】
特許公開２００２−２２４４７１号公報
【特許文献４】
特許公開２００１−１９８３６８号公報
【特許文献５】
特許公開２００１−１２０８６１号公報
【特許文献６】
特許公開平１１−３３３１５４号公報
【特許文献７】
特許公開平１１−００１０９６号公報
【実用新案文献１】
実用新案公開平０７−０１８８９８号公報
【実用新案文献２】
実用新案公開平０６−０４２２９２号公報
【実用新案文献３】
実用新案公開平０７−００６１０９号公報
【実用新案文献４】
登録実用新案第３０３１３７８号公報
【実用新案文献５】
登録実用新案第３０６９８８８号公報
【０００４】
【発明が解決しようとする課題】
前記の先行技術から、これまで特定の用途や状況下での機能を持つ開封器は考案され多くの技術が存在した。
しかし、１枚の小さなカード形のプレートで、封筒や菓子袋をはじめとする一般の袋類にオールマイティーに使える汎用性、携帯性、安全性、意匠性に優れた開封器は無かった。
従来の技術の中で特許文献３に示した、先に出願人が開発したエマージェンシー・オープナー（特開２００２−２２４４７１）では、菓子袋の開封に失敗した時に補助的に使用する開封器であり、これも特定の用途での機能に限られ、また、袋の切り込みや近年の袋の素材の向上等により、折角、携帯性、安全性、意匠性に優れるものであっても使用頻度、つまり、開封失敗のトラブルに遭遇する確率が極めて低い点で一般の使用者に該発明を携帯しようとする動機があまり起こらないという汎用性の低さの欠点があった。
また、該発明を１枚のプラスチック等の素材で形成する場合は、柔らかくて弾性に富むカード型プレートと強さと鋭さが必要な鋸刃状カッターの二律背反する性能を同時に得るのが困難であったし、それらをプラスチックと金属の２つの部分にに分けて形成しても実施例に示す形態では鋸刃状カッター部分が小さすぎて取り付けが難しかったりサンドイッチ状に挟みこんだりで構造の明快性に欠け、製品の堅牢性を低くし、取り付けのプロセスでコストが掛かり過ぎるというアンバランスを招いた。
本発明は、袋類の簡易な開封器としてそのような汎用性、製品の堅牢性を生む構造の明解さの課題を解決するもので、封筒や菓子袋等を簡易に開封できる汎用性、携帯性、安全性、意匠性に優れた開封用カッターの提供を目的としている。
【０００５】
【課題を解決するための手段】
１．上記目的を達成するために、本発明の開封用カッターは適度に柔らかく弾性に富むプラスチック板等の、ガードプレート（１）とその底面に設けた金属板等の、カッタープレート（２）から成るものであって、該カッタープレートはナイフ状に突出させた、ナイフ状カッター部（３）と板の一部を鋸刃状に形成した、鋸刃状カッター部（４）を持ち、ガードプレート（１）の表面にはＵ字形のカーブを持たせた線状の隙間である、カーブ状スリット（７）をそれにより切り取られてその上下に凸部（５）と凹部（６）のエリアが形成されるように設け、カーブ状スリット（７）の左右の内側端部付近に、鋸刃状カッター部（３）の刃先がスリット内に適当に露出するように（１）と（２）を重ね合せ、ナイフ状カッター部（２）部分を除く範囲でガードプレート（１）とカッタープレート（２）を接着する、範囲限定接着（８）により結合させていることを特徴としている。
２．上記目的を的確に達成するために請求項１記載の本発明のカッタープレート（２）が重なる範囲のガードプレート（１）の表面に、重ならない範囲の表面より凹ませた、凹み（１０）を設け、その凹みに（２）を納めて表面を平滑にすることを特徴としている。
３．上記目的を的確に達成するために請求項１又は２記載の本発明のガードプレート（１）の大きさを通常のクレジットカード大とすることを特徴としている。
４．上記目的を美的で楽しく達成するために請求項１又は２又は３記載の本発明のガードプレート（１）の表面に、カーブ状スリット（７）の形状を人や動物の口に見立て、サイズや位置が該スリットに適合する人や動物の絵柄からなる、絵柄（９）をプリント、シール、レリーフ等で設けることを特徴としている。
次に、本発明の実施の形態を実施例に従い説明する。
【０００６】
【発明の実施の形態】
図１ないし図１１は本発明の好適な実施の形態を示す。
図１は本発明の平面図である。
図２は本発明の底面図である。
図３は本発明の正面図及び背面図である。
図４は本発明の右側面図及び左側面図である。
図５は本発明のＡ−Ａ’断面図である。
図６は本発明のＢ−Ｂ’断面図である。
図７は本発明のナイフ状カッター部を使用中の状態を示す説明図である。
図８は本発明の鋸刃状カッター部を使用中の状態を示す説明図である。
図９は本発明のガードプレートとカッタープレートの取り付け方及び範囲限定接着（８）の接着の範囲を示す説明図である。
図１０は本発明の表（平面）と裏（底面）の関係を示す説明図である。
図１１は本発明のカーブ状スリットを封筒や文書のクリップとして使用した状態を示す説明図である。
【０００７】
以下に本発明の開封用カッターを説明する。
本発明の実施例において、（１）はガードプレートである。通常のクレジットカード大のプラスチック板で、適度の柔らかさと弾性を持たせている。
当該プレート上には分断されて平面方向（実施例では上と下の方向）に凸部（５）と凹部（６）の部分が形成されるようにＵ字形の細い曲線状の、カーブ状スリット（７）を設けている。カードを少ししなわせて、使用前は同一平面上にあった凸部と凹部の面を若干ずれさせ、口を開かせ、開封しようとする封筒や袋の縁を凸部と凹部面にほぼ平行の格好でクリップ状に挟めるようにしている。
カーブ状スリット（７）はカッターとしての機能と封筒や文書等を挟むクリップの２つの機能を持っている。
袋を差し込む際、スリットは引っ掛からずスムーズに行えるように滑らかな丸みのあるカーブを持たせている。
そして、ガードプレート（１）の底面には金属板でカッターとしての強度を持たせた、カッタープレート（２）を接着剤等により接着して取り付けている。
該カッタープレートはナイフ状に突出させた、ナイフ状カッター部（３）と板の一部を鋸刃状に形成した、鋸刃状カッター部（４）を左右対称に持っていて、カーブ状スリット（７）の左右の内側端部付近に、鋸刃状カッター部（４）の刃先がスリット内に適当に露出するように重ね合せ、接着している。
ナイフ状カッター部（２）部分を除く範囲でガードプレート（１）とカッタープレート（２）を接着剤等で、範囲限定接着（８）により結合させている。
図９に斜めの破線で示す範囲が当該範囲限定接着の接着範囲である。
使わない時はガードプレートの持つ弾性力により（２）は（１）と接して一体化していてガードプレートにより（２）の刃先がガードされるようにしている。
ナイフ状カッター部（３）は刃の先端部を除いて使う側の断面を鋭角に形成して切断機能を向上させている。
また、カッタープレート（２）が重なる範囲のガードプレート（１）の表面を重ならない範囲の表面より凹ませた、凹み（１０）部分に（２）を納めて表面を平滑にしている。それにより指が引っ掛からないようにして安全性を高めている。
実施例では、ガードプレート（１）の表（平面）に、カーブ状スリット（７）の形状を人や動物の口に見立て、サイズや位置が該スリットに適合する人や動物の絵柄の、絵柄（９）を設けている。
カッターの刃先は（３）と（４）の両方において平面的な刃としての加工でもよいが、危険を鑑みて適度な３次元的な鋭角加工とするのが望ましい。
本発明は鋸刃状のカッターとナイフ状のカッターの２種類のカッターを結合して一枚のカードに納めたもので、袋類の簡易な開封の用に供することができる。
ガードプレートのしなう性質を利用して不使用時はガードプレートを保護板として使い、また、クレジットカード大という携帯、収納に大変便利な形態を持っている。
さらに、カーブ状スリットをキャラクター等の口に見立てたデザインを表面に施して楽しさや美観を創出している。
【０００８】
次に、本発明の実施例における使用例並びにその作用を説明する。
本発明の使用方法は、必要が生じた時、タイムリーに、サイフやカードケース等から本発明を取り出し、裏側（底面）を手前に向けて持って、ガードプレートの下の縁を封筒の頭の部分に軽く押し当てガードプレートの下の縁を少ししなわせ、ガードプレートに寄り添ってガードプレートから保護されていたナイフ状カッター部をガードプレートから分離、露出させて開封する封筒の封の隙間にそのカッター部の先端を差し込み、適当な深さに差し込んだ状態で上方へ引き動かし、ナイフ状カッター部のペ
ーパーカッター機能を使って切り裂く。順次移動させて同じことを繰り返し封筒を開封する。
隙間無く強固に封をしてある封筒では指先で切り込みをいれるか後述のように、本発明の鋸刃状カッター部で縦に小さな切り込みを入れ、その切り口からナイフ状カッター部を差込み、前記のように開封する。
封筒に縦の切り込みを入れる場合や菓子袋等の開封では、カードの表側（平面）を手前に向けて持って、ガードプレートを上下に少ししなわせて、カーブ状スリットが口を開けるようにして、その開いた口に開封しようとする封筒や袋の縁を滑り込ませ、指でカードごと押さえ、切り裂き始める部分を鋸刃状カッター部に当て、もう片方の手で封筒や袋の縁を手前に引っ張り、封筒の場合は切り込みを入れ、菓子袋等の場合はそこから切り裂き開封する。
使用時以外の通常の状態では、ガードプレートがその持つ弾性力のため、不使用時の平らな形状を保持し、鋸刃状カッター部はスリットの内部へとおさまり、ナイフ状カッター部はプレートに寄り添い、それらの２つのカッター部は共にガードプレートと同一平面内におさまる格好でガードプレートにその危険性を保護されることになる。
さらに、カッタープレートが重なる部分のガードプレート表面に凹みを設け、そこにカッタープレートが収まるようにして表面の凹凸を無くし、指等を引っかけないよう、安全性を高めている。
そのようにカッターの刃先部分をガードプレートで保護して携帯中に人体に傷をつける等の危険性を排除している。
サイフやカードケースに収納することを考慮してナイフ状カッター部はその裏側のガードプレート表面（平面）に設ける人や動物の絵柄の頭側に位置させている。
それにより、ケースに差し入れる際、引っ掛かりにくくしている。
本発明は袋類の開封において最低限必要な２条件を鋸刃状カッター部とナイフ状カッター部の２つの機能で構成し、１枚のカッタープレートとしてそれらを一体化したものである。
この２つの機能があれば大抵の袋類の簡易な開封が可能となる。
以上により、サイフやカードケースに入る位の１枚のカード形のプレートで、封筒や菓子袋等の開封にタイムリーに使える汎用性、携帯性、安全性、意匠性に優れた万能型の開封器を提供することができる。
先に出願人が開発したエマージェンシー・オープナー（特開２００２−２２４４７１）は菓子袋の開封に失敗した時に補助的に使用する開封器であって、特定の用途での機能に限られたものであったが、本発明はおおよその形はエマージェンシー・オープナーを引き継いだものではあるが、２つのカッター機能を持つカッター板と携帯の安全性を確保するガードプレートとを明快な構造で一体化させ、用途に広がりを持たせたものである。
実施例では柔らかくて弾性に富むガードプレートと強さと鋭さをもつカッタープレートの２つの部分をバランスの良い形態、構造で合体させている。１枚のカッタープレートに２つのカッター機能を設けて十分な大きさの貼り代でガードプレートに貼り付ける明快な構造のため、製品自体の堅牢性を高め、エマージェンシーオープナーに見られたような制作コストのアンバランスも解消できる。
本発明はまた、図１１に示すように、カッターとしての不使用時に、本発明のカーブ状スリットに封筒や文書を挟んでおく、クリップとしても使用できるようにしている。
本発明は、袋類の簡易な開封器としてエマージェンシーオープナーの汎用性、構造の明解さの課題を解決するものである。
【０００９】
【発明の効果】
以上説明したように、本発明の開封用カッターによれば、開封する封筒の口の縁の隙間にナイフ状カッター部の先端を差込み、簡単に封筒を開封出来る。
また、隙間無く強固に封をしてある封筒では指先で切り込みを入れるか本発明の鋸刃状カッター部で縦に切り込みを入れ、その切り口にナイフ状カッター部を差込み、開封することができる。
菓子袋等を開け損ねた時には本発明の鋸刃状カッター部で簡単に袋を破ることができる。
通常のクレジットカード大とすることができるため、サイフやカードケース等に入れて常に身近に持っていることができるため、必要が生じた時すぐに使うことができる携帯性を持っている。
鋸刃状カッター部とナイフ状カッター部の２つの機能により大抵の袋の簡易な開封を行うことができる汎用性を持っている。
左右対称形で機能を設けているため右利き、左利きのどちらの人でも使用することが出来るという汎用性も持っている。
また、カッターとしての不使用時に、本発明のカーブ状スリットを利用して封筒や文書を挟んでおく、クリップとしての汎用性も持っている。
使用時以外の通常の状態では、ガードプレートがその持つ弾性力のため、平面形状を保ち、鋸刃状カッター部はスリットの内部へとおさまり、ナイフ状カッター部はプレートにピッタリ重なって刃がガードプレートで保護され、カッターの刃先部分をガードプレートの平面内に収めることにより携帯中に人体に傷をつける等の危険性を排除する、安全性を持っている。
また、刃が重なる部分のガードプレートに凹みを設け、そこに刃が収まるようにして表面の凹凸を無くしていて、指先等が引っかからやいようにした安全性も持っている。
本発明はエマージェンシーオープナーに無い汎用性と構造の明快さを持たせた開封用カッターである。
いつも身近にある携帯性、封筒や菓子袋等大抵の袋類を簡易に開封できる汎用性、刃先がガードプレート内に収まる安全性、そしてカーブ状スリットを人や動物の口に見立てた実用と可愛いさを掛け合わせた優れた意匠性を持つ。
本発明は構造が明快なため堅牢で制作しやすく、制作コストを安価なものとすることができる。
【００１０】
【図面の簡単な説明】
【図１】本発明の平面図である。
【図２】本発明の底面図である。
【図３】本発明の正面図及び背面図である。
【図４】本発明の右側面図及び左側面図である。
【図５】本発明のＡ−Ａ’断面図である。
【図６】本発明のＢ−Ｂ’断面図である。
【図７】本発明のナイフ状カッター部を使用中の状態を示す説明図である。
【図８】本発明の鋸刃状カッター部を使用中の状態を示す説明図である。
【図９】本発明のガードプレートとカッタープレートの取り付け方及び範囲限定接着（８）の接着の範囲を示す説明図である。
【図１０】本発明の表（平面）と裏（底面）の関係を示す説明図である。
【図１１】本発明のカーブ状スリットを封筒や文書のクリップとして使用した状態を示す説明図である。
【００１１】
【符号の説明】
（１）　ガードプレート　　　　（６）　凹部
（２）　カッタープレート　　　（７）　カーブ状スリット
（３）　ナイフ状カッター部　　（８）　範囲限定接着
（４）　鋸刃状カッター部　　　（９）　絵柄
（５）　凸部　　　　　　　　　（１０）　凹み
【図１】
2004136968.tif 000003
【図２】
2004136968.tif 000004
【図３】
2004136968.tif 000005
【図４】
2004136968.tif 000006
【図５】
2004136968.tif 000007
【図６】
2004136968.tif 000008
【図７】
2004136968.tif 000009
【図８】
2004136968.tif 000010
【図９】
2004136968.tif 000011
【図１０】
2004136968.tif 000012
【図１１】
2004136968.tif 000013